(57)【要約】      （修正有）【課題】全体において形状的な優雅さがあって、しかも回転支持部に対するアーム部の固着力の大きな鉢ホルダを有するフラワースタンドを提供する。【解決手段】ベース２に垂直に支持された断面円形の支柱と、前記支柱の外側に着脱可能に嵌め込まれる短円筒状の回転支持部１１にアーム部１２を介して鉢支持部１３が設けられた多数の鉢ホルダＨ１〜Ｈ４とから成り、前記支柱Ｐに多数の鉢ホルダＨ１〜Ｈ４が多段状となって、しかも当該支柱Ｐに対して回動可能に支持される構成のフラワースタンドＦ1であって、前記鉢ホルダＨ１〜Ｈ４を構成するアーム部１２は、配置状態で下方にわん曲するように半円弧状に形成されて、一端部が前記回転支持部１１の側面に一体に固着されると共に、他端部は、環状の鉢支持部１３における前記回転支持部１１に対して最も近い部分に一体に固着された構成とする。【選択図】図１
0003158486.tif 000002
【実用新案登録請求の範囲】
【請求項１】
ベースに垂直に支持された断面円形の支柱と、前記支柱の外側に着脱可能に嵌め込まれる短円筒状の回転支持部にアーム部を介して鉢支持部が設けられた多数の鉢ホルダとから成り、前記支柱に多数の鉢ホルダが多段状で、しかも当該支柱に対して回動可能となって水平に支持される構成のフラワースタンドであって、
前記鉢ホルダを構成するアーム部は、配置状態で下方にわん曲するように半円弧状に形成されて、一端部が前記回転支持部の側面に一体に固着されると共に、他端部は、環状の鉢支持部における前記回転支持部に対して最も近い部分に一体に固着されていることを特徴とするフラワースタンド。
【請求項２】
前記鉢支持部は、円環状であって、当該鉢支持部における回転支持部に最も近い部分が、前記アーム部の自由端部に固着されていることを特徴とする請求項１に記載のフラワースタンド。
【請求項３】
前記支柱は、複数の円筒状の支柱単体を連結して構成され、当該支柱単体は、長手方向の一端部に一般部の内径に対応する外径を有する内嵌部が設けられて、２本の支柱単体は前記内嵌部を介して互いに連結されることを特徴とする請求項１又は２に記載のフラワースタンド。
【請求項４】
前記支柱の最上段には、アーム部が垂直配置される鉢ホルダが回動可能に支持されることを特徴とする請求項１ないし３のいずれかに記載のフラワースタンド。
【考案の詳細な説明】
【技術分野】
【０００１】
本考案は、断面円形の支柱に対して多数の鉢ホルダが回動可能に支持される構成のフラワースタンドに関するものである。
【背景技術】
【０００２】
上記構成のフラワースタンドとしては、特許文献１に開示のものがある。このフラワースタンドを構成する鉢ホルダは、短円筒状の回転支持部と、当該回転支持部の半径方向に配置されて当該回転支持部に固着されるアーム部と、当該アーム部の先端部に自身の中央部が固着された皿状の鉢支持部とから成る。
【０００３】
従って、鉢ホルダを構成する直線状のアーム部を回転支持部に固着している部分には、鉢支持部に鉢物を支持した状態において、大きな曲げ力が作用する。しかし、特許文献１のフラワースタンドの鉢ホルダを構成するアーム部は、その端面が短円筒状の回転支持部に突き当てられた形態で、当該回転支持部に溶接等により固着されるので、回転支持部に対するアーム部の固着力が小さいという問題がある。
【０００４】
また、多数の鉢ホルダを支柱に対して多段状に支持した場合に、当該鉢ホルダのアーム部が全て水平に配置されるために、フラワースタンド全体としての形状が単調になって、優雅さが乏しいという美観上の問題もある。
【先行技術文献】
【特許文献】
【０００５】
【特許文献１】実開昭６２−２００９６９号公報
【考案の概要】
【考案が解決しようとする課題】
【０００６】
本考案は、従来のフラワースタンドの上記不具合に鑑み、全体において形状的な優雅さがあって、しかも回転支持部に対するアーム部の固着力の大きな鉢ホルダを有するフラワースタンドの提供を課題としている。
【課題を解決するための手段】
【０００７】
上記課題を解決するための請求項１の考案は、ベースに垂直に支持された断面円形の支柱と、前記支柱の外側に着脱可能に嵌め込まれる短円筒状の回転支持部にアーム部を介して鉢支持部が設けられた多数の鉢ホルダとから成り、前記支柱に多数の鉢ホルダが多段状で、しかも当該支柱に対して回動可能となって水平にに支持される構成のフラワースタンドであって、前記鉢ホルダを構成するアーム部は、配置状態で下方にわん曲するように半円弧状に形成されて、一端部が前記回転支持部の側面に一体に固着されると共に、他端部は、環状の鉢支持部における前記回転支持部に対して最も近い部分に一体に固着されていることを特徴としている。
【０００８】
請求項１の考案によれば、鉢ホルダを構成するアーム部が使用状態で下方にわん曲するように半円弧状に形成されているので、当該アーム部の一端部を短円筒状の回転支持部の側面に固着させる場合において、直線状のアーム部の端面を突き当てるのに比較して、回転支持部の軸方向に沿った固着長を長く確保できるので、溶接等により固着する場合において、大きな固着力が得られると共に、使用状態において、環状の鉢支持部で支持された鉢物の重量による曲げ力がアーム部に作用しても、当該曲げ力に対して対抗できる力が大きくなって、強度的に大きな構造が実現される。また、鉢ホルダを構成するアーム部が下方に向けて円弧状にわん曲していて曲線美が奏されるので、フラワースタンド全体としての美観が高められる。
【０００９】
請求項２の考案は、請求項１の考案において、前記鉢支持部は、円環状であって、当該鉢支持部における回転支持部に最も近い部分が、アーム部の自由端部に固着されていることを特徴としている。
【００１０】
請求項２の考案によれば、円環状の鉢支持部に対する鉢物の支持には、鉢皿を介して鉢物を支持する方式と、直接に鉢物を挿入して支持する方式との双方が可能となる。特に、後者は、支持自体が安定化する利点がある。
【００１１】
また、請求項３の考案は、請求項１又は２の考案において、前記支柱は、複数の円筒状の支柱単体を連結して構成され、当該支柱単体は、長手方向の一端部に一般部の内径に対応する外径を有する内嵌部が設けられて、２本の支柱単体は前記内嵌部を介して互いに連結されることを特徴としている。
【００１２】
請求項３の考案によれば、複数本の支柱単体を連結して支柱が構成されるので、保管時、及び運搬時において、支柱が損傷、或いは折損される恐れがなくなると共に、その取り扱いも容易となる。
【００１３】
また、請求項４の考案は、請求項１ないし３のいずれかの考案において、前記支柱の最上段には、アーム部が垂直配置される鉢ホルダが回動可能に支持されることを特徴としている。
【００１４】
請求項４の考案によれば、多段状となって支柱に支持された多数の鉢ホルダのアーム部は、水平配置されているのに対して、最上段の鉢ホルダのアーム部のみが垂直配置されているために、フラワースタンド全体としての美観がバランスすると共に、最も目立つ最上段の空間部を有効に利用して、鉢物を陳列できる。
【考案の効果】
【００１５】
本考案によれば、支柱に対して鉢ホルダが回動する構造のフラワースタンドにおいて、当該鉢ホルダを構成するアーム部が配置状態において下方に半円弧状となってわん曲しているために、鉢ホルダを構成する回転支持部とアーム部との固着強度を大きくできると共に、鉢支持部に支持された鉢物の重量による曲げ力に対する対抗力も大きくなり、更に、支柱に対して回動する鉢ホルダのアーム部が半円弧状をなしていて曲線美が奏されるために、フラワースタンド全体としての美観も高められる。
【図面の簡単な説明】
【００１６】
【図１】アーム部１２の長さ、及び鉢支持部１３の大きさの異なる複数の鉢ホルダＨ1 〜Ｈ4 を多段にして支持した状態のフラワースタンドＦ1 の斜視図である。
【図２】同じく分解斜視図である。
【図３】同じく分解正面図である。
【図４】（ａ），（ｂ）は、それぞれ鉢物Ａを支持している状態、及びアーム部１２に別の鉢物Ａ’を吊り下げた状態の鉢ホルダＨ1(Ｈ2 〜Ｈ4 ）の正面図である。
【図５】（ａ），（ｂ）は、それぞれ最上段に配置される鉢ホルダＨ0 の斜視図、及び正面図である。
【図６】多数の同一の鉢ホルダＨ2 を用いたフラワースタンドＦ2 の斜視図である。
【図７】同じく分解正面図である。
【図８】（ａ），（ｂ）は、それぞれ受皿２２を使用して、鉢ホルダＨ2 の鉢支持部１３に鉢物Ａを支持する状態の斜視図、及び正面図である。
【図９】（ａ），（ｂ）は、それぞれ建築物の補強に使用される鉄筋により形成された鉢ホルダＨ11の正面図、及び斜視図である。
【考案を実施するための形態】
【００１７】
以下、最適な複数の実施形態を挙げて、本考案を更に詳細に説明する。
【実施例１】
【００１８】
最初に、図１〜図５を参照して、実施例１のフラワースタンドＦ1 について説明する。図１は、アーム部１２の長さ、及び鉢支持部１３の大きさの異なる複数の鉢ホルダＨ1 〜Ｈ4 を多段にして支持した状態のフラワースタンドＦ1 の斜視図であり、図２は、同じく分解斜視図であり、図３は、同じく分解正面図であり、図４（ａ），（ｂ）は、それぞれ鉢物Ａを支持している状態、及びアーム部１２に別の鉢物Ａ’を吊り下げている状態の鉢ホルダＨ1(Ｈ2 〜Ｈ4 ）の正面図であり、図５（ａ），（ｂ）は、それぞれ最上段に配置される鉢ホルダＨ0 の斜視図、及び正面図である。
【００１９】
フラワースタンドＦ1 は、複数本（実施例では４本）の脚部１をベース２に垂直に支持される断面円形の支柱Ｐと、当該支柱Ｐに対して多数段となり、しかも回動可能となって着脱可能に取付けられる複数種類の鉢ホルダＨ1 〜Ｈ4 とで構成される。支柱Ｐは、図２及び図３に示されるように、複数本（実施例では３本）の円筒状の支柱単体３を連結して１本状に構成される。支柱単体３は、長手方向の一端部に、他の支柱単体３の一般部の端部の内側に嵌合可能であって、一般部よりも外径の小さな内嵌連結部４が設けられた構成であって、当該内嵌連結部４を介して複数本の支柱単体３が連結されて一本状の支柱Ｐとなる。このため、支柱の保管時、運搬時等の取扱い時には、連結された支柱Ｐに比較して短い支柱単体３として扱うことができるので、便利である。
【００２０】
鉢ホルダＨ1 〜Ｈ4 は、互いにアーム部１２の長さ、及び鉢支持部１３の大きさが異なるのみであって、その基本構造は同一であるので、全体としての鉢ホルダＨ1 〜Ｈ4 のみに、相互に区別可能な符号を使用し、鉢ホルダＨ1 〜Ｈ4 を構成するアーム部１２及び鉢支持部１３は、サイズが異なっていても同一符号を使用する。鉢ホルダＨ1 （Ｈ2 〜Ｈ4 ）は、前記支柱単体３に外嵌可能な内径を有する短円筒状の回転支持部１１に、下方にわん曲するように配置される半円弧状のアーム部１２の一端部が溶接により固着され、更に当該アーム部１２の他端部に円環状の鉢支持部１３が溶接により固着された構造である。
【００２１】
図４に示されるように、鉢ホルダＨ1 （Ｈ2 〜Ｈ4 ）を構成するアーム部１２は、配置状態で下方にわん曲した半円弧状となっているので、当該アーム部１２の一端部を短円筒状の回転支持部１１に溶接により固着する際に、当該回転支持部１１の軸方向に沿って所定の長さを有して固着することが可能となるので、アーム部が直線状の場合に比較して、回転支持部１１に対するアーム部１２の固着力が大きくなる。また、アーム部１２の他端面は、ほぼ直上を向いていて、配置状態の鉢支持部１３における回転支持部１１に最も近い部分が溶接により固着される。また、支柱Ｐの外側に、鉢ホルダＨ1 （Ｈ2 〜Ｈ4 ）の回転支持部１１を外嵌して、円環状の鉢支持部１３に鉢物Ａの鉢２１を直接に挿入して支持した状態において、回転支持部１１とアーム部１２の固着部に、鉢物Ａの重量に起因する曲げ力が作用するが、回転支持部１１に対してアーム部１２の基端部は、当該回転支持部１１のほぼ軸方向に沿っている構造が、前記曲げ力に対抗する力を大きくしている。なお、図４において、Ｗ1 ，Ｗ2 は、それぞれ回転支持部１１とアーム部１２との溶接部、及びアーム部１２と鉢支持部１３との溶接部を示す。
【００２２】
また、図５には、支柱Ｐの最上段に配置される鉢ホルダＨ0 が示されている。この鉢ホルダＨ0 は、短円筒状の回転支持部１１の内周面における上端面に臨む部分に、半円弧状のアーム部１２が起立姿勢となって溶接により固着されて、当該アーム部１２の上端部に鉢支持部１３が水平となって溶接により固着されていると共に、前記アーム部１２の高さ方向の中央部に、上端に固着された鉢支持部１３と反対側に水平となって別の鉢支持部１３が溶接により固着された構造である。よって、鉢ホルダＨ0 を構成する２つの鉢支持部１３が干渉することなく配置可能となって、当該各鉢支持部１３により鉢物Ａを支持した場合において、２つの鉢物Ａの配置バランスが良好となって、全体としての美観が増すと共に、支柱Ｐの最上段の空間部を有効に利用して、鉢物Ａの陳列が可能となる。
【００２３】
そして、大きさの異なる複数種類の鉢ホルダＨ1 〜Ｈ4 で構成される多数の鉢ホルダＨ1 〜Ｈ4 の回転支持部１１を下段から不規則な順序で支柱Ｐの外側に嵌め込むと、多数の鉢ホルダＨ1 〜Ｈ4 は、いずれも当該支柱Ｐに対して回動可能な状態で半径方向に水平に配置される。従って、各鉢ホルダＨ1 〜Ｈ4 は、支柱Ｐの周方向に対しては任意の位置に配置可能である。なお、支柱Ｐの下端部には、嵩上げスペーサＳ0 が外嵌されて、最下段に配置される鉢ホルダＨ1 （Ｈ2 〜Ｈ4 ）が嵩上げされ、中間部においては、上記の配置バランスとの関係で適宜、一般スペーサＳ1 が使用される。
【実施例２】
【００２４】
次に、図６ないし図８を参照して、本考案の実施例２のフラワースタンドＦ2 について説明する。図６は、多数の同一の鉢ホルダＨ2 を用いたフラワースタンドＦ2 の斜視図であり、図７は、同じく分解正面図であり、図８（ａ），（ｂ）は、それぞれ受皿２２を使用して、鉢ホルダＨ2 の鉢支持部１３に鉢物Ａを支持する状態の斜視図、及び正面図である。支柱Ｐには、同一種類の鉢ホルダＨ2 の回転支持部１１を嵩上げ、及び一般の各スペーサＳ0 ，Ｓ1 を適宜挟むことにより外嵌されて、多数の鉢ホルダＨ2 が多段に支持されている。支柱Ｐには、同一種類の鉢ホルダＨ2 が多段に支持されるため、一般スペーサＳ1 を介さなくても、相上下する各鉢ホルダＨ2 は、互いに干渉することなく、支柱Ｐに対して自在に回動させられる利点がある。他の構成、及び作用は、実施例１と同一である。なお、図８に示されるように、鉢ホルダＨ2 の鉢支持部１３には、受皿２２を介して鉢物Ａが支持される。
【００２５】
また、図９に示されるように、鉢ホルダＨ1 （Ｈ2 〜Ｈ4 ）を構成するアーム部１２及び鉢支持部１３の材料として、建築物の補強に使用される鉄筋を用いると、表面に存在している凹凸により固着時の溶接が容易になると共に、溶接による固着力が大きくなる利点がある。
【００２６】
また、本考案においては、鉢ホルダを構成するアーム部の形状は、上記実施例１，２のように半円弧状に限定されず、配置状態において下方にわん曲しておれば、いかなる形状であってもよい。更に、鉢物を支持する鉢支持部の形状に関しても円環状に限定されず、鉢物を構成する鉢の断面が正方形状である場合には、これに対応した方形環状に形成すればよい。
【符号の説明】
【００２７】
Ａ：鉢物
Ｈ1 〜Ｈ4 ：鉢ホルダ
Ｐ：支柱
Ｗ1 ，Ｗ2 ：溶接部
２：ベース
３：支柱単体
４：内嵌連結部
１１：回転支持部
１２：アーム部
１３：鉢支持部
【図１】
0003158486.tif 000003
【図２】
0003158486.tif 000004
【図３】
0003158486.tif 000005
【図４】
0003158486.tif 000006
【図５】
0003158486.tif 000007
【図６】
0003158486.tif 000008
【図７】
0003158486.tif 000009
【図８】
0003158486.tif 000010
【図９】
0003158486.tif 000011